(57)【要約】【課題】両手を防護しつつ避難用防護服の内部及び外部の両方の作業を行うことができる避難用防護服を提供すること。【解決手段】避難用防護服１１を、覗き窓１４を有し、頭部を覆うための頭覆部１１ａと、胴体、両腕、及び両足を覆うための外套部１１ｂとを一体にすることによって形成し、前記外套部１１ｂには、袖１１ｃを片側のみに設ける。【選択図】    図２
2005029909.tif 000002
【特許請求の範囲】
【請求項１】
覗き窓を有し、頭部を覆うための頭覆部と、胴体、両腕、及び両足を覆うための外套部とが一体に形成された避難用防護服において、
前記外套部には、袖が片側のみに設けられていることを特徴とする避難用防護服。
【請求項２】
アラミド繊維の織物よりなり、その表面が金属薄膜によって被覆されていることを特徴とする請求項１に記載の避難用防護服。
【請求項３】
前記外套部には、外套部の上から腰部付近を締付けるための締付け手段が設けられていることを特徴とする請求項１または２に記載の避難用防護服。
【発明の詳細な説明】
【０００１】
【発明の属する技術分野】
この発明は、火災発生時に装着するための避難用防護服に関するものである。
【０００２】
【従来の技術】
従来、火災発生時に装着するための避難用防護服としては、マント状の耐熱着に指先まで収めることのできる袖を設けるとともに耐熱ガラスを使用した窓を設け、該耐熱着の腰部分にゴム状のベルトを設けた構成のものが知られている（特許文献１参照）。
【０００３】
しかしながら、この特許文献１に記載の避難用防護服は、避難者が装着した状態で、両手は袖に通され、頭部が頭覆部に覆われている。したがって、避難者は、この避難用防護服を装着した状態で、手で濡れタオルを口にあてたり、携帯用酸素ボンベを口にあてて酸素を吸引したりすること、あるいは窓の内側が曇った場合、窓を内側から拭いて窓の曇りを解消したりすることができなかった。
【０００４】
また、火災発生時に装着するための避難用防護服としては、不燃性繊維よりなり、外部に手を出すための孔を備え、頭上から膝下まで覆うことができるようにマント状に形成したものが知られている（特許文献２参照）。
【０００５】
【特許文献１】
実開平３−５９３０９号公報（第１頁、第１図）
【特許文献２】
実開昭６２−１７７７４６号公報（第１頁、第１−３図）
【０００６】
【発明が解決しようとする課題】
しかしながら、この特許文献２に記載の避難用防護服は、避難者が装着した後、両手は該避難用防護服の内部に収められる。このため、手で濡れタオルを口にあてたりする等の避難用防護服の内部における作業は、両手が防護された状態で行うことができるものの、ドアを開けたりする等の避難用防護服の外部における作業を行うには、避難用防護服の前面に備えられた孔から手を外に出さなければならなかった。したがって、避難用防護服の外部における作業中には、手が防護されないという問題があった。
【０００７】
この発明は、このような従来の技術に存在する問題点に着目してなされたものである。その目的は、両手を防護しつつ避難用防護服の内部及び外部の両方の作業を行うことができる避難用防護服を提供することにある。
【０００８】
【課題を解決するための手段】
上記目的を達成するために、請求項１の発明においては、覗き窓を有し、頭部を覆うための頭覆部と、胴体、両腕、及び両足を覆うための外套部とが一体に形成された避難用防護服において、前記外套部には、袖が片側のみに設けられていることを要旨とするものである。
【０００９】
従って、避難者が避難用防護服を装着した時に、一方の手は袖に通され、他方の手は前記外套部の内部に収められるので、両手を防護しつつ、一方の手でドア等を開けたりすることができるとともに、他方の手で濡れタオルを口にあてがったり、携帯用酸素ボンベを使用したりすることができる。
【００１０】
請求項２に記載の発明においては、請求項１において、アラミド繊維の織物よりなり、その表面が金属薄膜によって被覆されていることを要旨とするものである。
【００１１】
アラミド繊維は、耐熱性、耐炎性、難燃性、耐切創性に優れた繊維であり、前記アラミド繊維の織物の表面の金属薄膜は、気密性を有し、火炎等による輻射熱を反射する性質をもつ。
【００１２】
従って、避難用防護服は、耐熱性、耐炎性、難燃性、耐切創性及び気密性を有するため、身体を火災時の火炎及びその輻射熱から効果的に防護することができる。加えて、避難用防護服は、火災からの避難時に該避難用防護服を障害物等に引っ掛けても破れにくい上に、火災によって発生する有毒ガスが避難用防護服を通して該避難用防護服の内部に侵入しないようにすることができる。このため、避難者の有毒ガス中毒による被害を抑制することができる。
【００１３】
請求項３に記載の発明においては、請求項１または２において、前記外套部には、外套部の上から腰部付近を締付けるための締付け手段が設けられていることを要旨とするものである。
【００１４】
従って、前記締付け手段により、前記外套部を避難者の体型に合わせてその腰部付近に対して締付けることができるので、身体が動かし易くなる。加えて、前記締付け手段により前記外套部の上から避難者の腰部付近を締付けることにより、避難者の腰部付近と前記外套部との間の隙間を小さくすることができるので、外套部の下端の裾から火災によって発生する有毒ガスが侵入して上半身へ到達するのを抑制することができる。このため、避難者の有毒ガス中毒による被害を抑制することができる。
【００１５】
【発明の実施の形態】
以下、本発明を具体化した実施形態を図１及び図２に基づいて説明する。
図１に示すように、この実施形態の避難用防護服セット１０は、避難用防護服１１と手袋１２とにより構成されている。避難用防護服１１は、アラミド繊維の織物よりなり、この織物の表面は、例えばアルミニウム等の金属薄膜で覆われている。避難用防護服１１は、頭部を覆うための頭覆部１１ａと、胴体、両腕及び両足を覆うための外套部１１ｂとを一体に形成することによって構成されている。頭覆部１１ａには、頭覆部１１ａ内から外が見えるように長方形の覗き窓１４が設けられている。すなわち、覗き窓１４は、金属製の窓枠１４ｂの開口部内にポリカーボネート樹脂よりなる透明の窓板１４ａを取り付けることにより構成されている。そして、覗き窓１４は、その窓枠１４ｂにおいてビス１５により頭覆部１１ａに固定されている。
【００１６】
手袋１２は、アラミド繊維の織物よりなるとともに、耐熱塗料により全体が赤色に着色されている。手袋１２の表面は、例えばアルミニウム等の金属薄膜によって覆われていない。
【００１７】
外套部１１ｂには、袖１１ｃが外套部１１ｂの片側、すなわち右腕側のみに設けられている。外套部１１ｂの前面のほぼ中央には、外套部１１ｂの前面を左右方向に開閉できるようにファスナ２１が設けられている。外套部１１ｂの前面内側には、互いに前記ファスナ２１を隔てるように一対のポケット１８が縫着されている。
【００１８】
外套部１１ｂの前面外側のほぼ中央には、互いに前記ファスナ２１を隔てるように一対の帯状部材１９が、それぞれその両端部において縫着されている。つまり、前記一対の帯状部材１９は、いわばベルト通しのように環状をなした状態で外套部１１ｂの前面の外側にそれぞれ縫着されている。そして、帯状部材１９は、前記手袋１２と同じく、アラミド繊維の織物よりなるとともに、耐熱塗料により全体が赤色に着色されている。帯状部材１９の表面は、例えばアルミニウム等の金属薄膜によって覆われていない。
【００１９】
前記一対の帯状部材１９の一方１９ａには、締付け手段としてのベルトであるコイルバネ２０の一端が取着されており、コイルバネ２０の他端には、前記一対の帯状部材１９の他方１９ｂに掛着することができるようにフック２０ａが形成されている。そして、避難用防護服１１の装着時に、前記フック２０ａを前記一対の帯状部材１９の他方１９ｂに掛着したときに、コイルバネ２０の付勢力により前記外套部１１ｂの上から腰部付近が締付けられるようになっている。
【００２０】
さて、図２に示すように、前述のように構成された避難用防護服セット１０を装着する場合、避難者Ｐは、頭覆部１１ａを頭部に被り、袖１１ｃに右腕を通し、ほぼ身体全体が避難用防護服１１によって覆われるように避難用防護服１１を着用する。そして、右手に手袋１２を嵌めた後、ファスナ２１を下げて外套部１１ｂの前面を閉じる。このとき、左手は外套部１１ｂ内に収められる。その後、手袋１２を嵌めた右手でフック２０ａを前記一対の帯状部材１９の他方１９ｂに掛着すると、コイルバネ２０の付勢力により、前記外套部１１ｂの上から避難者Ｐの腰部付近が締付けられる。これで、避難用防護服セット１０の装着が完了する。
【００２１】
さらにこの場合、予め外套部１１ｂの前面内側のポケット１８に図示しない密閉された袋入りの濡れタオルあるいは携帯用酸素ボンベ２２を収納しておけば、必要に応じてこれらを外套部１１ｂ内に収められている左手で容易に使用することができる。
【００２２】
以上詳述した実施形態によれば次のような効果が発揮される。
・  避難用防護服１１の装着時に、一方の手は袖１１ｃ内に通され、他方の手は前記外套部１１ｂの内部に収められるので、両手を防護しつつ、一方の手でドア等を開けたりすることができるとともに、他方の手で濡れタオルを口にあてがったり、携帯用酸素ボンベ２２を使用したりすることができる。
【００２３】
・  避難用防護服１１は、アラミド繊維の織物よりなり、その表面は金属薄膜で覆われているので、耐熱性、耐炎性、難燃性、耐切創性及び気密性を有する。このため、避難者Ｐの身体を火災時の火炎及びその輻射熱から効果的に防護することができる。加えて、避難用防護服１１は、火災からの避難時に該避難用防護服１１を障害物等に引っ掛けても破れにくい上に、火災によって発生する有毒ガスが避難用防護服１１を通して該避難用防護服１１の内部に侵入しないようにすることができる。このため、避難者Ｐが有毒ガス中毒による被害を受け難い。
【００２４】
・  コイルバネ２０の付勢力により外套部１１ｂを介して避難者Ｐの体型に合わせてその腰部付近をフレキシブルに締付けることができるので、身体が動かし易くなる。加えて、コイルバネ２０の付勢力により前記外套部１１ｂの上から避難者Ｐの腰部付近をフレキシブルに締付けることにより、避難者Ｐの腰部付近と前記外套部１１ｂとの間の隙間を小さくすることができる。このため、外套部１１ｂの下端の裾から火災によって発生する有毒ガスが侵入して上半身へ到達するのを抑制することができ、避難者Ｐの有毒ガス中毒による被害を抑制することができる。
【００２５】
・  手袋１２及び帯状部材１９は、共に耐熱塗料によって赤色に着色されているので、覗き窓１４から見やすい。このため、手袋１２を嵌めた右手の位置を確認したり、コイルバネ２０のフック２０ａを帯状部材１９に掛着したりすることが容易になる。
【００２６】
・  窓板１４ａは、ポリカーボネート樹脂よりなるので、耐熱性及び耐衝撃性に優れている。このため、窓板１４ａが火災による火炎の輻射熱に晒されたり、障害物にぶつけられたりしても壊れ難い。
【００２７】
・  避難用防護服１１は、コイルバネ２０のフック２０ａを前記一対の帯状部材１９の他方１９ｂに掛着するだけでベルトを締めることができる。このため、片手でも素早く容易にベルトを締めることができる。
【００２８】
・  避難者Ｐが両側に袖を設けた避難用防護服を、一方の袖のみに手を通して着用した場合には、他方の袖口から火災によって発生する有毒ガスが避難用防護服内に侵入するおそれがあるため、避難者Ｐが有毒ガス中毒を起こすおそれがある。これに対し、前記実施形態の避難用防護服１１には、袖１１ｃが片側にのみ設けられているため、前述のように他方の袖口から火災によって発生する有毒ガスが避難用防護服１１内に侵入することはない。
【００２９】
なお、前記実施形態を次のように変更して構成することもできる。
・  手袋１２と袖１１ｃとを一体に形成すること。
・  前記袖１１ｃを、前記外套部１１ｂの左腕側のみに設けること。
【００３０】
次に上記実施形態から把握できる請求項以外の技術的思想について、それらの効果とともに以下に追記する。
（１）前記締付け手段は、コイルバネによって構成されていることを特徴とする３に記載の避難用防護服。
【００３１】
（２）前記外套部の内側には、ポケットが設けられていることを特徴とする請求項１〜３のいずれか一項に記載の避難用防護服。
【００３２】
【発明の効果】
以上、詳述したように本発明は、両手を防護しつつ避難用防護服の内部及び外部の両方の作業を行うことができる避難用防護服を提供できるという効果がある。
【図面の簡単な説明】
【図１】実施形態の避難用防護服セットの正面図。
【図２】実施形態の避難用防護服セットの装着状態を表す正面図。
【符号の説明】
１０…避難用防護服セット、１１…避難用防護服、１１ａ…頭覆部、１１ｂ…外套部、１１ｃ…袖、１２…手袋、１４…覗き窓、１４ａ…覗き窓を構成する窓板、１４ｂ…覗き窓を構成する窓枠、１９…帯状部材、２０…締付け手段としてのベルトであるコイルバネ、２０ａ…フック、２１…ファスナ。
【図１】
2005029909.tif 000003
【図２】
2005029909.tif 000004